(57)【要約】【課題】  開閉羽根の開成中に一方の入口から入った打球が他方の入口から飛び出してしまう状態を可及的に防止し、ゲートを設けた入賞装置にあってはゲートの耐衝撃性を向上させたパチンコ機の入賞装置を提供すること。【解決手段】  起立して打球を入り難くしたり、逆ハ字形に傾動して打球を入り易くする一対の開閉羽根１２と、当該開閉羽根のほぼ前面を覆う意匠板９と、ゲート３を取付板２の前面側に設け、それら開閉羽根の起立及び傾動動作を制御するソレノイド１７を取付板２の裏面側に設けてなるパチンコ機の入賞装置１において、意匠板９の裏面中央に縦向きの突条１０を、ゲート３の左側部と右側部に夫々連続させて下方に延びる突条５ａ，５ｂを設け、開閉羽根１２，１２の開成中に左右何れか一方の入口から入った打球が、意匠板９の突条１０又は取付板２側の突条５ａ，５ｂに当接することにより他方の入口から飛び出さないように構成した。【選択図】  図４
2005334207.tif 000002
【特許請求の範囲】
【請求項１】
起立して打球を入り難くしたり、逆ハ字形に傾動して打球を入り易くする一対の開閉羽根と、当該開閉羽根のほぼ前面を覆う意匠板とを取付板の前面側に設け、それら開閉羽根の起立及び傾動動作を制御するソレノイドを該取付板の裏面側に設けてなるパチンコ機の入賞装置において、
前記意匠板の裏面中央に縦向きの突条若しくは突起部を設け、前記開閉羽根の開成中に左右何れか一方の入口から入った打球が、その突条若しくは突起部に当接することにより他方の入口から飛び出さないように構成したことを特徴とするパチンコ機の入賞装置。
【請求項２】
起立して打球を入り難くしたり、逆ハ字形に傾動して打球を入り易くする一対の開閉羽根と、当該開閉羽根のほぼ前面を覆う意匠板とを取付板の前面側に設け、その取付板の前面に打球が通過する通過口を設けたゲートを一体に形成し、それら開閉羽根の起立及び傾動動作を制御するソレノイドを該取付板の裏面側に設けてなるパチンコ機の入賞装置において、
前記ゲートの左側部と右側部に夫々連続させて下方に延びる突条を設け、前記開閉羽根の開成中に左右何れか一方の入口から入った打球が、その突条に当接することにより他方の入口から飛び出さないように構成したことを特徴とするパチンコ機の入賞装置。
【請求項３】
前記意匠板の裏面中央に縦向きの突条若しくは突起部を設け、前記開閉羽根の開成中に左右何れか一方の入口から入った打球が、その意匠板の突条若しくは突起部又は前記取付板側の突条に当接することにより他方の入口から飛び出さないように構成したことを特徴とする請求項２に記載のパチンコ機の入賞装置。
【発明の詳細な説明】
【技術分野】
【０００１】
本発明は、起立して打球を入り難くしたり、逆ハ字形に傾動して打球を入り易くする一対の開閉羽根を備えたパチンコ機の入賞装置に関するものである。
【背景技術】
【０００２】
従来のパチンコ機の入賞装置の一例として、特開平７−２８４５５６号公報に記載されたものがある。その入賞装置は、起立して打球を入り難くしたり、逆ハ字形に傾動して打球を入り易くする一対の開閉羽根と、当該開閉羽根のほぼ前面を覆う意匠板とを取付板の前面側に設け、その取付板の前面に打球が通過する通過口を設けたゲートを一体に形成し、それら開閉羽根の起立及び傾動動作を制御するソレノイドを該取付板の裏面側に設けた構造とされている。
【０００３】
従来の入賞装置と同様の構造を有する図５に示すゲートを備えた入賞装置ａにおいては、開閉羽根ｂ，ｂが逆ハ字形に傾動した開成中に打球ｘが左右何れか一方の入口ｅから勢いよく入った場合に、その打球ｘが下方の球入口ｃに流入せずに他方の入口ｆから外に飛び出してしまうことがある。このような予期せぬ打球の飛び出し現象が生ずることは、遊技者にとって快く感じられないと思われる。
【０００４】
また、ゲートを備えた入賞装置ａでは、遊技領域を転動する打球がゲートｇの上部や側部に頻繁に衝突するために、その衝撃力によってゲートｇに亀裂が入ったり、時には割れてしまうことがある。
【０００５】
そのような不具合に鑑みて、打球による衝撃力に対して強度を高めたゲートを備えた入賞装置が、実用新案登録第３０６５２９４号により提案されている。この入賞装置は、ゲートの正面側の上縁部を凸円弧形状とすることにより当該ゲートの耐衝撃性を向上させるとされているが、前述した打球の飛び出し現象については何も記載されていない。
【特許文献１】特開平７−２８４５５６号公報
【特許文献２】実用新案登録第３０６５２９４号
【発明の開示】
【発明が解決しようとする課題】
【０００６】
本発明の目的は、開閉羽根の開成中に一方の入口から入った打球が他方の入口から飛び出してしまう状態を可及的に防止し、ゲートを設けた入賞装置にあってはゲートの耐衝撃性を向上させたパチンコ機の入賞装置を提供することにある。
【課題を解決するための手段】
【０００７】
前記目的を達成するために請求項１に記載した発明は、起立して打球を入り難くしたり、逆ハ字形に傾動して打球を入り易くする一対の開閉羽根と、当該開閉羽根のほぼ前面を覆う意匠板とを取付板の前面側に設け、それら開閉羽根の起立及び傾動動作を制御するソレノイドを該取付板の裏面側に設けてなるパチンコ機の入賞装置において、前記意匠板の裏面中央に縦向きの突条若しくは突起部を設け、前記開閉羽根の開成中に左右何れか一方の入口から入った打球が、その突条若しくは突起部に当接することにより他方の入口から飛び出さないように構成したことを特徴とする。
【０００８】
同様の目的を達成するために請求項２に記載した発明は、起立して打球を入り難くしたり、逆ハ字形に傾動して打球を入り易くする一対の開閉羽根と、当該開閉羽根のほぼ前面を覆う意匠板とを取付板の前面側に設け、その取付板の前面に打球が通過する通過口を設けたゲートを一体に形成し、それら開閉羽根の起立及び傾動動作を制御するソレノイドを該取付板の裏面側に設けてなるパチンコ機の入賞装置において、前記ゲートの左側部と右側部に夫々連続させて下方に延びる突条を設け、前記開閉羽根の開成中に左右何れか一方の入口から入った打球が、その突条に当接することにより他方の入口から飛び出さないように構成したことを特徴とする。
【０００９】
同様の目的を達成するために請求項３に記載した発明は、請求項２に記載のパチンコ機の入賞装置において、前記意匠板の裏面中央に縦向きの突条若しくは突起部を設け、前記開閉羽根の開成中に左右何れか一方の入口から入った打球が、その意匠板の突条若しくは突起部又は前記取付板側の突条に当接することにより他方の入口から飛び出さないように構成したことを特徴とするものである。
【発明の効果】
【００１０】
（請求項１の発明）
このパチンコ機の入賞装置によれば、開閉羽根の開成中に何れか一方の入口から入った打球は、意匠板の突条若しくは突起部に当接して球入口に流入するので、打球が他方の入口から飛び出してしまうことを可及的に防止することができる。加えて、遊技者の入賞に対する期待感を妨げないという副次的効果をも有する。
【００１１】
（請求項２の発明）
このパチンコ機のゲートを備えた入賞装置によれば、開閉羽根の開成中に何れか一方の入口から入った打球は、ゲートの突条に当接して球入口に流入するので、打球が他方の入口から飛び出してしまうことを可及的に防止することができる。加えて、ゲートは突条によって補強されているので、打球に対する耐衝撃性が著しく向上する。
【００１２】
（請求項３の発明）
このパチンコ機のゲートを備えた入賞装置によれば、開閉羽根の開成中に何れか一方の入口から入った打球は、意匠板の突条若しくは突起部又は取付板側の突条に当接して球入口に流入するので、打球が他方の入口から飛び出してしまうことを可及的に防止することができる。
【発明を実施するための最良の形態】
【００１３】
以下に、本発明の最良の形態例を図面に基づいて説明する。図１は本発明のゲートを備えた入賞装置の正面図、図２は同、中央縦断面図、図３は図１のＡ−Ａ線断面図（ただし、揺動レバー、ソレノイド等を省略）、図４は本発明の入賞装置における打球の挙動を示す説明図である。
【００１４】
図において、１は図示しないパチンコ機の遊技盤に取り付けられる本発明のゲートを備えた入賞装置である。この入賞装置１の取付板２の前面側の上部には、打球を通過させる通過口４を設けたゲート３が一体に形成されている。図１、図２に示すように、このゲート３の左側部３ａと右側部３ｂには、それぞれ連続させて下方に延びる断面三角形状の突条５ａ，５ｂを一体に設けている。
【００１５】
上記取付板２の下部には、打球を球入口６から入賞球として後方へ導くチャッカー８を設け、そのチャッカー８の意匠板９と取付板２との間に一対の開閉羽根１２，１２を軸１１，１１により所定角度範囲で回転可能に設ける。その開閉羽根１２，１２のほぼ前面を覆う意匠板９の裏面中央には、断面三角形状の突条１０（若しくは突起部）を縦方向に設ける。その突条１０の頂点と前記突条５ａ，５ｂの各頂点との間隔Ｌについては、遊技球の直径寸法（約１１ｍｍ）よりも大きく設定し、当該入賞装置１の左右何れか一方の入口から入った遊技球が、突条１０（若しくは突起部）又は突条５ａ，５ｂの何れかに当たることにより他方の入り口側へ飛び出すことがないように設ける。
【００１６】
図２に示すように、上記取付板２の裏面に固定される支持枠（図示せず）には、開閉羽根１２，１２の連動片１３，１３に二又部１５ａを緩く係合させた揺動レバー１５と、この揺動レバー１５を上下方向に作動させるプランジャー形式のソレノイド１７を設ける。
【００１７】
しかして、このパチンコ機のゲートを備えた入賞装置１は、ソレノイド１７の駆動により開閉羽根１２，１２を起立して打球を入り難くしたり、逆ハ字形に傾動して打球を入り易くする姿勢に動作させるように構成されている。
【００１８】
つぎに、本発明のゲートを備えた入賞装置における特有な作用について述べる。
図４において、開閉羽根１２，１２の開成中に打球ｘが何れか一方の入口、ここでは左方の入口ｅから入った場合、その打球ｘは、意匠板９の突条１０又は取付板２側の突条５ａに当接するため下方の球入口６に流入する。
また、右方の入口ｆから打球ｘが入った場合、その打球ｘは、突条１０又は突条５ｂに当接して下方の球入口６に流入する。
【００１９】
したがって、この入賞装置１によれば、一方の入口から勢いよく入った打球ｘが、他方の入口から飛び出してしまうことを可及的に防止することができる。
【００２０】
また、遊技領域を転動する打球がゲート３の上部や側部に頻繁に衝突しても、ゲート３は突条５ａ，５ｂによって補強されているので、損傷を可及的に防止することができる。
【００２１】
以上に述べた通り、このパチンコ機の入賞装置によれば、開閉羽根の開成中に何れか一方の入口から入った打球は、意匠板の突条又は取付板側の突条に当接して球入口に流入するので、打球が他方の入口から飛び出してしまうことを可及的に防止することができる優れた利点がある。
【図面の簡単な説明】
【００２２】
【図１】本発明のゲートを備えた入賞装置の正面図
【図２】同、中央縦断面図
【図３】図１のＡ−Ａ線断面図（ただし、揺動レバー、ソレノイド等を省略）
【図４】本発明の入賞装置における打球の挙動を示す説明図
【図５】従来の入賞装置における打球の挙動を示す説明図
【符号の説明】
【００２３】
１・・・パチンコ機の入賞装置
２・・・取付板
３・・・ゲート
３ａ・・・左側部  ３ｂ・・・右側部
５ａ，５ｂ・・・突条
６・・・球入口
８・・・チャッカー
９・・・意匠板
１０・・・突条
１２，１２・・・開閉羽根
１５・・・揺動レバー
１７・・・ソレノイド
ｘ・・・打球
ｅ・・・左方の入口（一方の入口）
ｆ・・・右方の入口（他方の入口）
【図１】
2005334207.tif 000003
【図２】
2005334207.tif 000004
【図３】
2005334207.tif 000005
【図４】
2005334207.tif 000006
【図５】
2005334207.tif 000007